(57)【要約】【課題】  携帯端末本体への記録媒体の着脱を容易化し、かつ、通常使用時に、記憶媒体の装着部が露出しないような構成の提供。【解決手段】  第１の筺体と、該第１の筺体に対しスライド移動可能に係合した第２の筺体とを有し、前記第２の筺体を第１の方向にスライドさせ、第１の筺体または第２の筺体に配設された記憶媒体装着部が露出しない第１の伸長状態と、第２の筺体を第１の方向と異なる第２の方向にスライドさせ、第１の筺体または第２の筺体に配設された記憶媒体装着部を露出させた第２の伸長状態と、を選択可能とする。【選択図】  図１
2010278490.tif 000002
【特許請求の範囲】
【請求項１】
第１の筺体と、該第１の筺体に対しスライド移動可能に係合した第２の筺体とを有し、
前記第２の筺体を第１の方向にスライドさせ、第１の筺体または第２の筺体に配設された記憶媒体装着部が露出しない第１の伸長状態と、
第２の筺体を第１の方向と異なる第２の方向にスライドさせ、第１の筺体または第２の筺体に配設された記憶媒体装着部を露出させた第２の伸長状態と、を選択可能としたこと、
を特徴とする携帯端末。
【請求項２】
前記第２の方向へのスライド操作を規制するストッパ機構を備えている請求項１の携帯端末。
【請求項３】
前記第２の筺体側に、前記記録媒体装着部が配設されている請求項１または２の携帯端末。
【請求項４】
前記第１の筺体側に、前記記録媒体装着部が配設されている請求項１から３いずれか一の携帯端末。
【請求項５】
前記記録媒体装着部には、ＩＣカード用コネクタが配設されている請求項１から４いずれか一の携帯端末。
【発明の詳細な説明】
【技術分野】
【０００１】
本発明は、携帯端末に関し、特に、カード型記憶メディア等の記憶媒体等を装着することのできる携帯端末に関する。
【背景技術】
【０００２】
特許文献１に示すように、携帯電話端末において、所要の防塵性能を持ち、かつ、メモリカードの抜け落ちを防ぐために、バッテリカバーを外し、更にバッテリを外した状態でないとメモリカードを抜き差しできない構成としたものがある。また、特許文献１の携帯電話端末においては、ＳＩＭ（Ｓｕｂｓｃｒｉｂｅｒ  Ｉｎｄｅｎｔｉｔｙ  Ｍｏｄｕｌｅ）カードもバッテリを外さないと電気接点が現れない構成となっている。
【０００３】
上記のバッテリを外さなければ、メモリカードを着脱できないという煩雑さを解消するため、特許文献２には、第１筺体と第１筺体に対して移動可能に設けられた第２筺体とを備えたいわゆるスライド式の携帯電話端末において、第２筺体が第１筺体の所定面を露出される伸長状態において外部装置を挿入するための開口部が露出され、第２筺体が第１筺体の所定面を覆った収納状態において前記開口部が塞がれるように、開口部を配設した構成が開示されている。
【０００４】
特許文献３は、上記ＳＩＭカードやメモリカードを携帯機器本体に接続するためのコネクタの例である。このほかに、いわゆるプッシュ−プッシュ操作により、カードの着脱を行いうるコネクタも広く知られている。
【０００５】
特許文献４には、スライド開閉式の携帯端末に用いるヒンジ機構において、一方向へのスライド移動についてセミオート開閉を実現し、逆方向へのスライド移動を許容する構成が開示されている。
【先行技術文献】
【特許文献】
【０００６】
【特許文献１】特開２００７−１０９０３６号公報
【特許文献２】特開２００４−２９７３３７号公報
【特許文献３】特開２００３−８６３０２号公報
【特許文献４】特開２００８−１９６５２５号公報
【発明の概要】
【発明が解決しようとする課題】
【０００７】
上記特許文献２の構成によれば、記録媒体を着脱する際にいちいちバッテリを取り外さなくて済むが、伸長状態にて使用時に開口部が露出してしまうという問題点がある。例えば、特許文献２の各図に示されたようにメモリカードの接続のために上述したプッシュ−プッシュ型のコネクタを採用している場合、伸長状態にて電子メールの閲覧中に誤ってメモリカードに触れてしまうと、メモリカードが抜け落ちてしまうことになる。
【０００８】
本発明は、上記した事情に鑑みてなされたものであって、その目的とするところは、所要の防塵性能および記録媒体を着脱の容易性を確保するとともに、伸長状態での使用時に記憶媒体の装着部が露出しないような携帯端末の構成を提供することにある。
【課題を解決するための手段】
【０００９】
本発明の第１の視点によれば、第１の筺体と、該第１の筺体に対しスライド移動可能に係合した第２の筺体とを有し、前記第２の筺体を第１の方向にスライドさせ、第１の筺体または第２の筺体に配設された記憶媒体装着部が露出しない第１の伸長状態と、第２の筺体を第１の方向と異なる第２の方向にスライドさせ、第１の筺体または第２の筺体に配設された記憶媒体装着部を露出させた第２の伸長状態と、を選択可能とした携帯端末が提供される。
【発明の効果】
【００１０】
本発明によれば、記憶媒体装着部が隠れた第１の伸長状態と、記憶媒体装着部が表れ、記憶媒体を容易に交換することができる第２の伸長状態とを使い分けることが可能になる。
【図面の簡単な説明】
【００１１】
【図１】本発明の概要を説明するための図である。
【図２】本発明の概要を説明するための別の図である。
【図３】本発明の第１の実施形態の携帯端末の構成を表した図である。
【図４】本発明の第１の実施形態の携帯端末の平面図および側面図である。
【図５】図４のＡ−Ａ'断面図である。
【図６】本発明の第１の実施形態の携帯端末の平面図および側面図である。
【発明を実施するための形態】
【００１２】
はじめに本発明の概要について図面を参照して説明する。図１の（ａ）〜（ｃ）は、第１の筺体１と、該第１の筺体とスライド可能に係合した第２の筺体２とを有する携帯端末を変形させた態様を示している。第１、第２の筺体が重なり合った収納状態（ｂ）から、第２の筺体２を第１の方向（図１の斜め左下方向）にスライドさせると、第２の筺体２の第１の筺体との当接面に配された操作部が現れるとともに、第２の筺体２の表面に配設された記憶媒体装着部４が露出しない第１の伸長状態（ａ）となる。
【００１３】
また、この携帯端末の第２の筺体２を第２の方向（図１の斜め右上方向）にスライドさせると、第２の筺体２に配設された記憶媒体装着部４が露出した第２の伸長状態（ｃ）となる。
【００１４】
このような携帯端末によれば、電話機能や電子メール閲覧端末として使用時に、記憶媒体装着部４が露出せず、メモリカードの抜け落ちが防止されるとともに、バッテリカバーやバッテリ等を外すことなくメモリカードを抜き差しすることが可能になる。
【００１５】
なお、図１の例では、２の筺体２の表面に記憶媒体装着部４を配設しているが、図２に示すように、第１の筺体の裏面に記憶媒体装着部４を配設することも可能である。この構成においても、第１、第２の筺体が重なり合った収納状態（ｂ）から、第２の筺体２を第１の方向（図１の斜め左下方向）にスライドさせると、第２の筺体２の第１の筺体との当接面に配された操作部が現れるとともに、第２の筺体２の表面に配設された記憶媒体装着部４が露出しない第１の伸長状態（ａ）となる。また、この携帯端末の第２の筺体２を第２の方向（図１の斜め右上方向）にスライドさせると、第１の筺体１に配設された記憶媒体装着部４が下向きに露出した第２の伸長状態（ｃ）となる。
【００１６】
［第１の実施形態］
続いて、本発明をスライド式の携帯電話端末に適用した第１の実施形態について図面を参照して詳細に説明する。図３は、本発明の第１の実施形態の携帯電話端末を示す図である。同図では、２つの筺体が重なり合った収納状態を示している。
【００１７】
レシーバ側筐体（以下、「Ｒ側筐体」）１は、上記した第１の筺体に相当し、マイク側筐体（以下、「Ｍ側筐体」）２は、上記した第２の筺体に相当する。
【００１８】
Ｒ側筐体１は、通話相手の音声等を出力するレシーバのほか、液晶表示装置等によって構成された表示部５と、前記Ｍ側筐体２とのスライド可能範囲を規制するストッパ機構を操作するためのリリースレバー３とが備えられている。
【００１９】
上記リリースレバー３を操作しない場合、ストッパ機構が機能し、図５、図６の係合凸部７Ｌ、７Ｒが、Ｒ側筺体１側のガイド溝を移動できる範囲が規制され、Ｍ側筐体２はＲ側筐体１の下方にしか引き出せない。
【００２０】
図４は、上記リリースレバー３を操作しないでＭ側筐体２をＲ側筐体１の下方に引き出した状態（上述の第１の伸長状態に相当）を示す平面図および側面図である。この状態（第１の伸長状態）において、例えば、通常の通話操作や電子メール閲覧操作等を行うことが可能である。
【００２１】
図５は、図４のＡ−Ａ'の断面模式図である。図５の状態では、リリースレバー３に連結されたスライド範囲規制アーム３ａはＲ側筺体１側のガイド溝を塞ぐ位置にあり、Ｍ側筐体２をスライド可能な範囲が規制されている。上記リリースレバー３を図５の右側にスライドさせると、スライド範囲規制アーム３ａが図５の右側に移動し、ストッパ機構が解除され、Ｍ側筐体２をＲ側筐体１の上方に引き出すことが可能になる。
【００２２】
図６は、上記リリースレバー３を操作して（右側に移動）、Ｍ側筐体２をＲ側筐体１の上方に引き出した状態（上述の第２の伸長状態に相当）を示す平面図および側面図である。この状態（第２の伸長状態）において、メモリカードを収納し接続する記憶媒体装着部４が露出する。ユーザは、記憶媒体装着部４に配置されたＩＣカード用コネクタ（例えば、特許文献３参照）に適合するメモリカードを挿入し、または、取り出すことができる。
【００２３】
メモリカードを挿入したら、リリースレバー３を右に移動させた状態を保ちながら、Ｒ側筐体１を上側へスライドさせると、図３の状態に戻る。
【００２４】
図４および図６に示すように、リリースレバー３を操作しない第１の状態では（図４参照）、記憶媒体装着部４は、Ｒ側筺体１とＭ側筺体２との間に隠れているため、メモリカードが抜け落ちてしまうことはない。
【００２５】
以上説明したように、本実施形態では、使用者がリリースレバー３の左右スライド動作と、Ｒ側筐体２の上下へのスライド動作で、煩雑なカバー類やバッテリ着脱を行うことなく、マイクロＳＤカード等のメモリカードを抜き差しすることが可能になる。
【００２６】
また本実施形態では、携帯端末側面に記憶媒体装着部を設ける場合と比較しても、防塵カバー等の外観塗装部品を減らすことが可能になるため、直接的な部品コストのみならず、品質管理コストを軽減し、携帯電話端末の利益率向上に貢献することができる。
【００２７】
以上、本発明の実施形態を説明したが、本発明は、上記した実施形態に限定されるものではなく、本発明の基本的技術的思想を逸脱しない範囲で、更なる変形・置換・調整を加えることができる。例えば、上記した実施形態では、携帯電話端末に適用した例を挙げて説明したが、例えば、同種のスライド機構を備えたスマートフォンやＰＤＡ（Ｐｅｒｓｏｎａｌ  Ｄｉｇｉｔａｌ  Ａｓｓｉｓｔａｎｔ）、ナビゲーション端末、電子辞書などに適用することが可能である。
【００２８】
また、上記した実施形態では、リリースレバー３を設けてスライド可能な範囲を規制するものとして説明したが、リリースレバーに代えて、トグル式のボタンや繋止フック等、その他機械式のスライド範囲規制機構やロック機構を設けることも可能である。またあるいは、リリースレバー３を省略して、特許文献４のヒンジ機構等を用いて、記憶媒体装着部４を露出させる方向へのスライド操作に一定以上の力が必要となるようにしてもよい。
【符号の説明】
【００２９】
１  Ｒ側筺体（第１の筺体）
２  Ｍ側筺体（第２の筺体）
３  リリースレバー
３ａ  スライド範囲規制アーム
４  記憶媒体装着部
５  表示部
７Ｒ、７Ｌ  係合凸部
【図１】
2010278490.tif 000003
【図２】
2010278490.tif 000004
【図３】
2010278490.tif 000005
【図４】
2010278490.tif 000006
【図５】
2010278490.tif 000007
【図６】
2010278490.tif 000008